(57)【要約】【課題】複数の照明器具の調光状態を組み合わせたシーンの再生を予め設定されたスケジュールに応じて切替える照明スケジュール制御システムにおいて、スケジュール中の任意の区間の調光状態を簡単な操作によって再現する。【解決手段】複数の照明器具Ｌ１１〜Ｌ１Ｎ、Ｌ２１〜Ｌ２Ｎがマイクロコンピュータ４から構成される制御装置２に接続される。マイクロコンピュータ４には、入力端末としての機能を有する液晶タッチパネル５が接続され、マイクロコンピュータ４のメモリ６に記録されたスケジュール情報が液晶タッチパネル５にグラフ化して表示される。液晶タッチパネル５の画面上にはコマンド入力用のアイコンが設けられ、ユーザがスケジュール中の一部の時間帯の調光状態の再現を所望するときには、ユーザは液晶タッチパネル５に表示されたスケジュールＫ１、Ｋ２を参照しながら任意の時間帯を指定し、その時間帯の調光制御を再現することができる。【選択図】図１
2008135228.tif 000002
【特許請求の範囲】
【請求項１】
複数の照明器具の調光状態を組み合わせたシーンの再生を、予め設定されたスケジュールに応じて切替えると共に該シーンの切替え時にフェード動作を実行する照明スケジュール制御システムにおいて、
前記スケジュールを画面上にグラフ化して表示する表示手段と、
前記表示手段に表示されたスケジュール中のフェード動作実行区間を含む任意の区間をユーザが指定するための区間指定手段と、
前記区間指定手段によって指定された区間のフェード動作を等速又は時間短縮して再現する再現手段と、を備えたことを特徴とする照明スケジュール制御システム。
【発明の詳細な説明】
【技術分野】
【０００１】
本発明は、複数の照明器具の調光状態を組み合わせたシーンの再生を、予め設定されたスケジュールに応じて切替えると共に該シーンの切替え時にフェード動作を実行する照明スケジュール制御システムに関する。
【背景技術】
【０００２】
従来から、コンビニエンスストアやスーパーマーケット等において店舗内を照明する複数の照明器具の調光状態（照度）を予め設定されたタイムスケジュールに応じて制御し、省力化及び省エネ化を図る照明装置が知られている（例えば、特許文献１参照）。
【０００３】
特許文献１に記載された照明装置は、制御装置に接続された複数の照明器具が予め設定されたタイムスケジュールに応じてそれぞれ照度、及び点・消灯を制御される。例えば、開店時刻前の早朝の時間帯では照明器具が間引いて点灯されると共に照明器具の照度が低く設定され、開店時間中（主に昼間の時間帯）は適正な中程度の照度に設定され、さらに客の多い時間帯（バーゲン時など）では高い照度に設定されるというように時間帯（シーン）に応じて照度が切替えられる。
【０００４】
また、複数の系統に分かれた照明器具がタイムスケジュールに応じて調光制御される照明制御装置において、照明器具の通算の点灯時間が系統ごとに管理され、照明器具の通算の点灯時間に基づく点・消灯の制御、照度の制御等が系統ごとに行えるように構成されたものが知られている（例えば、特許文献２参照）。
【特許文献１】特開２００２−３７３７９４号公報
【特許文献２】特開２００２−３３４７９４号公報
【発明の開示】
【発明が解決しようとする課題】
【０００５】
ところで、上記のような照明スケジュール制御システムによって照明器具が自動的に調光制御される店舗では、新装開店の前とか店内改装のときに、調光制御される照明によって店舗内の実際の明るさ、雰囲気、印象等がシーンごとにどのように変化するかをユーザが実際に目視によって確認する場合があり、そのときには実際に設定されたタイムスケジュールに沿って全工程の調光制御が行われていた。
【０００６】
ところが、バーゲン開催に伴って特定の時間帯（シーン）の調光状態を一時的に変更した場合等のように、一部の時間帯について上記の確認を行う必要が生じる場合があるが、その場合でも、従来はタイムスケジュールに沿って全工程の調光制御が実行されていた。
【０００７】
換言すると、タイムスケジュールの中の一部の時間帯について店舗内の実際の明るさとか雰囲気をユーザが事前に確認しようとしても、従来の装置では一部の時間帯についての調光状態のみを再現することが困難であったので、主に一部の時間帯における調光状態を確認することが目的であってもタイムスケジュールに沿った全工程の調光制御が実施されており、効率的ではなかった。
【０００８】
そこで、本発明は、複数の照明器具の調光状態を組み合わせたシーンの再生を、予め設定されたスケジュールに応じて切替えると共にシーンの切替え時にフェード動作を実行する照明スケジュール制御システムにおいて、スケジュール中のフェード動作実行区間を含む任意の区間の調光状態を簡単な操作によって再現することができる照明スケジュール制御システムを提供することを目的とする。
【課題を解決するための手段】
【０００９】
上記目的を達成するために、請求項１の発明は、複数の照明器具の調光状態を組み合わせたシーンの再生を、予め設定されたスケジュールに応じて切替えると共に該シーンの切替え時にフェード動作を実行する照明スケジュール制御システムにおいて、前記スケジュールを画面上にグラフ化して表示する表示手段と、前記表示手段に表示されたスケジュール中のフェード動作実行区間を含む任意の区間をユーザが指定するための区間指定手段と、前記区間指定手段によって指定された区間のフェード動作を等速又は時間短縮して再現する再現手段と、を備えたことを特徴とする。
【発明の効果】
【００１０】
請求項１の発明によれば、予め設定されたスケジュールが表示手段の画面上にグラフ化して表示され、表示手段に表示されたスケジュール中のフェード動作実行区間を含む任意の区間を指定するための区間指定手段、及び区間指定手段によって指定された区間のフェード動作を等速又は時間短縮して再現する再現手段が備えられるので、ユーザは、簡単にフェード動作実行区間を含む任意の区間を指定してその区間の実際の調光状態を確認することができ効率的である。
【発明を実施するための最良の形態】
【００１１】
以下、本発明の第１の実施形態に係る照明スケジュール制御システムについて、図１と図２を参照して説明する。本実施形態の照明スケジュール制御システム１は、図１に示されるように、スーパーマーケット等の店舗内に設置された複数の照明器具Ｌ１１〜Ｌ１Ｎ、Ｌ２１〜Ｌ２Ｎと、各照明器具Ｌ１１〜Ｌ１Ｎ、Ｌ２１〜Ｌ２Ｎに接続され各照明器具の点・消灯及び照度を統括して制御する制御装置２と、制御装置２に接続され後述するスケジュールを画面上にグラフ化して表示する表示装置３と、を備える。制御装置２は主にマイクロコンピュータ４から構成される。
【００１２】
各照明器具Ｌ１１〜Ｌ１Ｎ、Ｌ２１〜Ｌ２Ｎは、蛍光灯や白熱灯等のランプとその点灯装置を備え、制御装置２から送信されるパルス幅変調（ＰＷＭ）信号等の調光信号ｓｇ１、ｓｇ２によって照度が増減するように制御される。本実施形態では、照明器具は、照明器具Ｌ１１〜Ｌ１Ｎと照明器具Ｌ２１〜Ｌ２Ｎの２系統に分かれて制御され、各系統内の照明器具に対しては同一の制御が行われる。
【００１３】
例えば、第１系統の照明器具Ｌ１１〜Ｌ１Ｎは、昼間に多くの客が来る売り場に設置されて比較的昼間において高い照度に調光制御され、第２系統の照明器具Ｌ２１〜Ｌ２Ｎは、夜間に多くの客が来る売り場に設置されて比較的夜間において高い照度に調光制御される。
【００１４】
表示装置３は、マイクロコンピュータ４への入力端末としての機能を有する液晶タッチパネル５を備え、マイクロコンピュータ４のメモリ６内に記憶された後述するスケジュール情報が制御装置２から表示装置３に出力されて、液晶タッチパネル５にグラフ化して表示される。
【００１５】
液晶タッチパネル５に表示されるスケジュールの例が図２に示される。液晶タッチパネル５の上段に第１系統の照明器具Ｌ１１〜Ｌ１ＮについてのスケジュールＫ１が表示され、下段に第２系統の照明器具Ｌ２１〜Ｌ２ＮについてのスケジュールＫ２が表示される。各スケジュールＫ１、Ｋ２は、時間（横軸）に沿った照度（縦軸）の変化が折れ線グラフとして表示される。
【００１６】
図２に示されるように、スケジュールＫ１は、第１系統の照明器具Ｌ１１〜Ｌ１Ｎが、午前５時に約２５％の照度で点灯し、午前７時前から午前８時にかけて照度が漸増し、午前８時には約５５％の照度で点灯し、午前１１時から正午にかけて照度が漸増し、正午から午後３時はほぼ１００％の照度で点灯し、午後３時から午後６時にかけて照度が漸減し、午後６時から午後１０時の間は約４５％の照度で点灯し、午後１０時に消灯することを示す。
【００１７】
スケジュールＫ２は、第２系統の照明器具Ｌ２１〜Ｌ２Ｎが、午前５時に約２０％の照度で点灯し、午前７時前から午前８時にかけて照度が漸増し、午前８時には約４５％の照度で点灯し、午前１１時から正午にかけて照度が漸減し、正午から午後３時は約２０％の照度で点灯し、午後３時から午後６時にかけて照度が漸増し、午後６時から午後１０時の間は約８０％の照度で点灯し、午後１０時から午前０時にかけて照度が漸減し、午前０時から午前２時の間は照度が約１５％で点灯し、午前２時に消灯することを示す。
【００１８】
なお、スケジュールＫ１、Ｋ２において照度が一定している時間帯がシーンであり、照度が漸増、漸減する時間帯がフェード動作が実行される時間帯（以下、フェード動作実行区間という）である。
【００１９】
上記のスケジュールＫ１、Ｋ２においては、午前５時から午前７時前がシーンＳ１、午前８時から午前１１時がシーンＳ２、正午から午後３時がシーンＳ３、午後６時から午後１０時がシーンＳ４、午前０時から午前２時がシーンＳ５であり、午前７時前から午前８時がフェード動作実行区間Ｆ１、午前１１時から正午がフェード動作実行区間Ｆ２、午後３時から午後６時がフェード動作実行区間Ｆ３、午後１０時から午前０時がフェード動作実行区間Ｆ４である。
【００２０】
また、液晶タッチパネル５の画面上には、ユーザがタッチペン等を用いて押下することによってマイクロコンピュータ４へのコマンドを入力することができる「スケジュール設定」「決定」「実行」等の種々の操作表示アイコン７が表示される。
【００２１】
次に、本実施形態の照明スケジュール制御システム１を用いて２系統の照明器具Ｌ１１〜Ｌ１Ｎ、Ｌ２１〜Ｌ２Ｎを調光制御する手順について説明する。
【００２２】
まず、調光制御に先立って、ユーザがタッチペン又は指を用いて液晶タッチパネル５の所定の位置を順に押下することによってマイクロコンピュータ４へスケジュールを設定するための各種情報を入力する。
【００２３】
具体的には、ユーザは、まず「スケジュール設定」のアイコン７ａを押下してマイクロコンピュータ４をスケジュールの各種情報を入力できるモードに変更した上で、「系統１」又は「系統２」のいずれかのアイコン７ｇ、７ｈを押下してどちらの系統の照明器具Ｌ１１〜Ｌ１Ｎ、Ｌ２１〜Ｌ２Ｎに対する設定かを決定し、その後液晶タッチパネル５の任意の位置を押下することによって各シーンＳ１〜Ｓ５の開始時刻と終了時刻及び照度を入力する。
【００２４】
例えば、ユーザが「系統１」のアイコン７ｇを押下して第１系統の照明器具Ｌ１１〜Ｌ１Ｎの設定を行うことを選択した場合、ユーザは、液晶タッチパネル５の上段の任意の位置ｐ１〜ｐ１１を押下し、各シーンＳ１〜Ｓ５の開始時刻と終了時刻及び照度をマイクロコンピュータ４へ入力する。
【００２５】
ユーザによって押下された液晶タッチパネル５上の各位置ｐ１〜ｐ１１は、マイクロコンピュータ４によって座標が認識され、各座標に対応する時刻と照度がマイクロコンピュータ４に入力される。
【００２６】
また、ユーザの入力操作に並行して、入力された情報（押下された位置ｐ１〜ｐ１１）が液晶タッチパネル５の画面に折れ線グラフ（押下された位置ｐ１〜ｐ１１を連結する線）として順次表示される。ユーザは、液晶タッチパネル５に折れ線グラフとして表示されたスケジュールＫ１を視覚的に確認して訂正がなければ「決定」のアイコン７ｂを押下して入力したスケジュールＫ１の情報を確定させる。これによってマイクロコンピュータ４は、入力されたスケジュールＫ１の情報をメモリ６に記録する。
【００２７】
ユーザは、同様にして第２系統の照明器具Ｌ２１〜Ｌ２Ｎについてもスケジュール情報を入力し、マイクロコンピュータ４はそのスケジュール情報をメモリ６に記録する。上記の操作において、ユーザは、入力するスケジュールＫ１、Ｋ２の情報（各シーンＳ１〜Ｓ５の開始時刻と終了時刻及び照度）が液晶タッチパネル５上にグラフ化して表示されるので視覚的に確認することができて入力操作が容易であり、しかも入力ミスが防止される。
【００２８】
ユーザが照明スケジュール制御システム１を用いて照明器具を調光制御するときには、ユーザが「通常再生」のアイコン７ｄを押下した上「実行」のアイコン７ｃを押下することによって、マイクロコンピュータ４は各照明器具Ｌ１１〜Ｌ１Ｎ、Ｌ２１〜Ｌ２Ｎをスケジュールに沿って調光制御するコマンドが入力されたことを認識し、各照明器具Ｌ１１〜Ｌ１Ｎ、Ｌ２１〜Ｌ２Ｎに対してスケジュール情報に応じた調光信号ｓｇ１、ｓｇ２を送信して調光制御する。
【００２９】
例えば、シーンＳ１においては、照明器具Ｌ１１〜Ｌ１Ｎが照度約２５％で点灯され、照明器具Ｌ２１〜Ｌ２Ｎが照度約２０％で点灯され、フェード動作実行区間Ｆ１ではフェード動作が実行されて各照明器具Ｌ１１〜Ｌ１Ｎ、Ｌ２１〜Ｌ２Ｎが照度を漸増され、シーンＳ２においては、照明器具Ｌ１１〜Ｌ１Ｎが照度約５５％で点灯され、照明器具Ｌ２１〜Ｌ２Ｎが照度約４５％で点灯される。以後、同様に設定されたスケジュール通りに各照明器具Ｌ１１〜Ｌ１Ｎ、Ｌ２１〜Ｌ２Ｎが調光制御される。
【００３０】
そして、ユーザが店舗の開店前の確認等のために一部の時間帯（シーン）を再生することを所望する場合には、ユーザは次のように操作して所望の時間帯（シーン）のみを再生させることができる。
【００３１】
例えば、正午から午後６時までの時間帯におけるシーンＳ３及びフェード動作実行区間Ｆ３を再生する場合には、ユーザは、「部分再生」のアイコン７ｅを押下してマイクロコンピュータ４を一部の時間帯についての調光動作を実行させるモードに変更した上、液晶タッチパネル５の下部に表示された時間軸のバー８上のシーンＳ３の区間とフェード動作実行区間Ｆ３を押下し、「決定」のアイコン７ｂを押下する。
【００３２】
この操作によってマイクロコンピュータ４は、再生すべき区間がシーンＳ３とそれに続くフェード動作実行区間Ｆ３であることを認識し、ユーザが続いて「実行」のアイコン７ｃを押下することによって、マイクロコンピュータ４は、シーンＳ３とそれに続くフェード動作実行区間Ｆ３の調光動作を実行するように、各照明器具Ｌ１１〜Ｌ１Ｎ、Ｌ２１〜Ｌ２Ｎへ調光信号ｓｇ１、ｓｇ２を送信する。
【００３３】
具体的には、マイクロコンピュータ４は、第１系統の照明器具Ｌ１１〜Ｌ１Ｎに対してほぼ１００％の照度をもたらす調光信号ｓｇ１を送信し、第２系統の照明器具Ｌ２１〜Ｌ２Ｎに対して約２０％の照度をもたらす調光信号ｓｇ２を送信し、その後、第１系統の照明器具Ｌ１１〜Ｌ１Ｎに対して照度が約４５％に漸減するように調光信号ｓｇ１を送信し、第２系統の照明器具Ｌ２１〜Ｌ２Ｎに対して照度が約８０％に漸増するように調光信号ｓｇ２を送信する。
【００３４】
同様に、例えば、ユーザが時間軸のバー８のフェード動作実行区間Ｆ３のみを押下したときには、フェード動作実行区間Ｆ３の調光状態（第１系統の照明器具Ｌ１１〜１Ｎについては照度が漸減し、第２系統の照明器具Ｌ２１〜２Ｎについては照度が漸増する）が再現される。
【００３５】
また、液晶タッチパネル５上に「時間短縮」のアイコン７ｉ、及び「短縮率１／１０」「短縮率１／６０」等のアイコン７ｊ、７ｋが設けられ、ユーザがこれらのアイコンを押下することによってマイクロコンピュータ４が特定の時間帯のシーン又はフェード動作を時間短縮して再現する。
【００３６】
例えば、ユーザによって「部分再生」のアイコン７ｅが押下され、時間軸のバー８上のフェード動作実行区間Ｆ３が押下された後に、「時間短縮」及び「短縮率１／６０」のアイコン７ｉ、７ｋが順に押下された場合には、マイクロコンピュータ４は、フェード動作実行区間Ｆ３の再生を１／６０の時間で再生するコマンドであることを認識し、フェード動作実行区間Ｆ３を本来のフェード動作実行に要する時間である３時間の１／６０である３分で再生する。
【００３７】
具体的には、マイクロコンピュータ４は、第１系統の照明器具Ｌ１１〜Ｌ１Ｎに対して照度が３分間でほぼ１００％から約４５％に減少するように制御し、第２系統の照明器具Ｌ２１〜Ｌ２Ｎに対して照度が３分間で約２０％から約８０％に増加するように制御する。
【００３８】
調光信号ｓｇ１、ｓｇ２がパルス幅変調（ＰＷＭ）信号の場合には、マイクロコンピュータ４は、第１系統の照明器具Ｌ１１〜Ｌ１Ｎに対する調光信号ｓｇ１のデューティ比を急激に減少するように制御し、第２系統の照明器具Ｌ２１〜Ｌ２Ｎに対する調光信号ｓｇ２のデューティ比を急激に増加するように制御する。
【００３９】
また、特定の時刻における調光状態を再生する場合には、ユーザは、「時刻指定」のアイコン７ｆを押下してマイクロコンピュータ４を特定時刻についての調光動作を実行させるモードに変更した上、液晶タッチパネル５の下部に表示された時間軸のバー８上の所望の一点（例えば、図２におけるＤ）を押下し、「決定」のアイコン７ｂを押下する。
【００４０】
この操作によってマイクロコンピュータ４は、再生すべき時刻がフェード動作実行区間Ｆ３の中の特定時刻（Ｄ：午後４時）であることを認識し、ユーザが続いて「実行」のアイコン７ｃを押下することによって、マイクロコンピュータ４は、午後４時の調光状態を再生するように、各照明器具Ｌ１１〜Ｌ１Ｎ、Ｌ２１〜Ｌ２Ｎへ調光信号ｓｇ１、ｓｇ２を送信する。
【００４１】
具体的には、マイクロコンピュータ４は、第１系統の照明器具Ｌ１１〜Ｌ１Ｎに対して約９０％の照度をもたらす調光信号ｓｇ１を送信し、第２系統の照明器具Ｌ２１〜Ｌ２Ｎに対して約３０％の照度をもたらす調光信号ｓｇ２を送信する。
【００４２】
上記の種々の操作において、ユーザは、再生すべき時間帯又は時刻を液晶タッチパネル５上にグラフ状に表示されたスケジュールＫ１、Ｋ２上で視覚的に確認しつつ入力操作を行うことができるので入力操作が容易であり、しかも入力ミスが防止される。
【００４３】
上記第１の実施形態において請求項１に記載の区間指定手段は液晶タッチパネル５とマイクロコンピュータ４によって構成されるが、区間指定手段が液晶タッチパネル５とは分離して別に設けられた操作装置とマイクロコンピュータ４によって構成される第２の実施形態について、次に説明する。
【００４４】
第２の実施形態の照明スケジュール制御システム１は、図３に示されるように、第１の実施形態における液晶タッチパネル５に代えてグラフ化されたスケジュールＫ１、Ｋ２の表示機能のみを有する液晶パネル２５が設けられ、第１の実施形態における液晶タッチパネル５の画面上に設けられた種々の操作表示アイコン７に代えて複数の機械的なスイッチ２７を有する操作装置２８が設けられる。その他の構成は、第１の実施形態と同一であり同一の番号を付すことにより説明を省略する。
【００４５】
液晶パネル２５は、制御装置２のマイクロコンピュータ４に接続され、マイクロコンピュータ４のメモリ６に記録されたスケジュール情報をグラフ化されたスケジュールＫ１、Ｋ２として表示し、操作装置２８からの操作によって移動されるカーソル２９を表示する。
【００４６】
操作装置２８は、第１の実施形態におけるアイコン７と同様に、ユーザが押下することによって「スケジュール設定」「決定」「実行」「通常再生」「部分再生」「時刻指定」「系統１」「系統２」等の種々のコマンドをマイクロコンピュータ４へ入力する機械的スイッチ２７と、液晶パネル２５に表示されたカーソル２９の移動方向を入力する方向スイッチ３１を備える。
【００４７】
この第２の実施形態の照明スケジュール制御システム１において、ユーザは、第１の実施形態における液晶タッチパネル５上のアイコン７を押下することに代えて操作装置２８のスイッチ２７を押下し、第１の実施形態における液晶タッチパネル５の画面上の所望の位置をタッチペン等によって押下することに代えて方向スイッチ３１を操作することにより液晶パネル２５上のカーソル２９を移動することによって、スケジュール情報の設定を行い、設定されたスケジュールに沿ってシーンを通常に再生したりスケジュールの一部の時間帯又は特定の時刻についてのシーン又はフェード動作を再現することができる。
【００４８】
この第２の実施形態においては、液晶パネル２５の画面が小さくスケジュールＫ１、Ｋ２が小さく表示される場合であっても、ユーザは、液晶パネル２５とは別に設けられた入力専用の操作装置２８の機械的スイッチ２７を操作することによってスケジュール情報の入力やスケジュールＫ１、Ｋ２中の所望の区間を指定して入力することができるので、液晶タッチパネル５の画面上で入力操作を行う場合に比べて操作が容易である。
【００４９】
なお、本発明は上記実施形態の構成に限られず、種々の変形が可能である。例えば、液晶タッチパネル５又は液晶パネル２５に表示されるスケジュールＫ１、Ｋ２は、折れ線グラフ状ではなく、図４に示されるように、棒グラフ状であってもよいし、照明器具が３以上の多数の系統に分かれて調光制御される場合には、それら多数の系統ごとのスケジュールＫ１、Ｋ２、Ｋ３・・が液晶タッチパネル５又は液晶パネル２５に別々の画面として表示されるように構成されてもよい。
【図面の簡単な説明】
【００５０】
【図１】本発明の第１の実施形態に係る照明スケジュール制御システムの全体構成を示すブロック図。
【図２】同照明スケジュール制御システムの液晶タッチパネルに表示されるスケジュールの例を示す図。
【図３】本発明の第２の実施形態に係る照明スケジュール制御システムの全体構成を示すブロック図。
【図４】上記スケジュールの別の表示例を示す図。
【符号の説明】
【００５１】
１  照明スケジュール制御システム
４  マイクロコンピュータ（表示手段、区間指定手段、再現手段）
５  液晶タッチパネル（表示手段、区間指定手段）
２５  液晶パネル（表示手段）
２８  操作装置（区間指定手段）
Ｌ１１〜Ｌ１Ｎ、Ｌ２１〜Ｌ２Ｎ  照明器具
Ｋ１、Ｋ２  スケジュール
Ｓ１〜Ｓ５  シーン
Ｆ１〜Ｆ４  フェード動作実行区間
【図１】
2008135228.tif 000003
【図２】
2008135228.tif 000004
【図３】
2008135228.tif 000005
【図４】
2008135228.tif 000006